(57)【特許請求の範囲】
【請求項１】
蓋(10)を有する閉じることができる調理器具のための、蓋用の持上げ取っ手を形成し蓋の上面に嵌合する底面を有する本体(15)を含む蒸気通気孔装置であって、
上記本体の内部に嵌合し、2つの動作位置を有し、部材の回転位置によって本体を通る蒸気路(22)を開閉するよう成形された相互に回転可能な部材(17)と、
蒸気路(22)を閉じるよう作用する回転可能な部材によって支持され、また回転可能な部材と共に移動する摺動可能なプランジャ(20)と、
器具の中の温度が所定の値まで上昇したときに蒸気が本体を通って大気へ逃げることを可能にするために蒸気路を開くようプランジャを自動的に摺動する成形された記億合金材料によって形成される能動素子(24)とを含むことを特徴とする蒸気通気孔装置。
【請求項２】
上記回転可能な部材は、相互に回転することを可能とし、使用中は本体の中におけるその相対的な位置を示す一体に形成された直立したフィンガー又はフラグ(18)を有する、請求項1記載の蒸気通気孔装置。
【請求項３】
上記本体は、本体の蓋に対する回転を防止するよう蓋の中の開口(13)の中に位置するよう配置された一体形成され中央からずれて下方に延在するスタッド(25)と共に形成される、請求項1又は2記載の蒸気通気孔装置。
【請求項４】
本体(15)を蓋(10)に対して保持するために蓋を通って延在する固定ねじ(14)を受容するよう配置された本体(15)の底面に一体形成されたねじ孔を含む、請求項1又は3のうちいずれか1項記載の蒸気通気孔装置。
【発明の詳細な説明】
【0001】
【発明の属する技術分野】
本発明は調理器具用の蒸気通気孔に関する。
【0002】
【従来の技術】
調理用具の上蓋に都合良く取り付けられる調整可能な蒸気通気孔を設けることは既に知られており、通気孔又は開口の有効径は可動板を使用して開口を部分的に閉じることによって制御され、板は開□に対して相互に調整可能であり、開口が所望に応じて通常は開いているか又は閉じているよう選択された位置に維持される。
【0003】
【発明が解決しようとする課題】
通気孔は調理が始まるとき開いているか又は閉じており、調理が進行するにつれ必要であれば相互に調整され、使用者による近傍での監視及び付き添いを必要とし、本発明はこの問題を解決するか又は少なくとも軽減することを目的とする
【0004】
【課題を解決するための手段】
本発明によれば、蓋を有する閉じることができる調理器具のための、蓋用の持上げ取っ手を形成し蓋の上面に嵌合する底面を有する本体と、上記本体の内部に嵌合し、2つの動作位置を有し、部材の回転位置によって本体を通る蒸気路を開閉するよう成形された相互に回転可能な部材と、蒸気路を閉じるよう作用する回転可能な部材によって支持され、また回転可能な部材と共に移動する摺動可能なプランジャと、器具の中の温度が所定の値まで上昇したときに蒸気が本体を通って大気へ逃げることを可能にするために蒸気路を開くようプランジャを自動的に摺動する成形された記憶合金材料によって形成される能動素子とを含むことを特徴とする蒸気通気孔装置が提供される。
【0005】
回転可能な部材は、相互に回転することを可能とし、使用中は本体の中におけるその相対的な位置を示す一体に形成された直立したフィンガー又はフラグを有し、本体は、本体の蓋に対する回転を防止するよう蓋の中の開口の中に位置するよう配置された一体形成され中央からずれて下方に延在するスタッドと共に形成されうる。
【0006】
本体を蓋に対して保持するために蓋を通って延在する固定ねじを受容するよう配置された本体の底面に一体形成されたねじ孔が提供されうる。
【0007】
【発明の実施の形態】
以下、本発明による蒸気通気孔装置を例として添付の図面を参照して説明すると、図面を参照するに、図1中、鍋蓋10は3つの開口11,12及び13を有し、通気孔装置13は蓋の上に取り付けられ、開口12を通って延在するねじ14によって所定の位置に保持し、通気孔装置は、蓋用の持上げ取っ手を形成するために使用者の指を受容するための開口16を設けられた略円形の本体15を含む。
【0008】
円形部材17は本体15の内部に取り付けられ、部材は本体の中央軸の回りを回転し得るよう本体の中の一体構造によって円周及び中心に関して抑制されており、回転部材17は直立したフィンガー又はフラグ18を有し、フィンガー18は、回転部材17の円弧の約40°に亘って延在し、回転部材17が手動で回転された時に本体15の中のスロット19を通り、スロットは約20°の円弧に亘って延在し、フィンガー18は2つの目的のために作用し、フィンガー18は回転部材17が相互に回転されることを可能とし、また、その位置により、回転部材17の相対的な回転位置を視覚的に示す。
【0009】
摺動可能なプランジャ20は、プランジャ20の摺動軸が回転部材17と共にその中央軸の周りに回転するよう、スロット21の中に回転部材17の中に取り付けられる(図2乃至4参照)、蒸気路22は本体15を通って延在し、通常は蓋10の開口11と連通し、図1中、蒸気路は以下説明されるようにプランジャ20の前端によって閉じられている。
【0010】
図2及び図3中、通気孔装置を異なる配置にして、様々な構成要素が示されており、プランジャ20は通常は、図3に示されるように、先端が回転部材17の周囲縁と一致しているバネ23によって保持され、鍋の内部の温度が所定の値まで上昇すると、コイル型の記憶合金材料によって形成される能動素子24が膨張し、プランジャ20を内向きに、バネ23の付勢と逆に、図1及び図3に示される位置まで押し、一体形成されたスタッド25は、本体15の回転移動を防止するよう開口13を通って嵌合する。
【0011】
回転部材17は2つの動作位置を有し、第1の動作位置は図2に示され、蒸気が開口11を通って大気へ逃げることができないよう、部材は蒸気路22を恒久的に閉じ、プランジャ20は「引込んだ」位置で示され、これは器具の中の温度が素子24の膨張を引き起こすのに充分高い場合であり、しかしながら、図1では、蒸気路22は回転部材17によって恒久的に閉じられているため、プランジャ20の位置は重要でない。
【0012】
図3及び図4中、部材17は第2の動作位置にあり、図3中、プランジャ20の前端は開口11の上を覆っているため、蒸気路22は閉じたままとされ、鍋の内部の温度が能動素子24を膨張させる値まで上昇した場合、図4に示されるように、プランジャは前方へ、完全に開いた位置まで自動的に移動し、従って、従来は単なる鍋蓋持上げ取っ手であったものの中に作り出された上述の通気孔装置は、蒸気路を恒久的に閉じるか、又は記憶合金材料によって形成される能動素子を使用して蒸気路が自動的に開くことを可能にするよう配置される相互動作装置を提供する。
【図面の簡単な説明】
【図1】通気孔装置及び鍋蓋の断面正面図を示す図である。
【図2】通気孔装置を1つの配置で示す底面図を示す図である。
【図3】通気孔装置を他の配置で示す底面図を示す図である。
【図4】通気孔装置を他の配置で示す底面図を示す図である。
【符号の説明】
10  鍋蓋
11、12、13  開□
14  ねじ
15  本体
16  開口
17  円形部材
18  フラグ
19  スロット
20  プランジャ
21  スロツト
22  蒸気路
23  ばね
24  能動素子
25  スタッド
【図１】
0004162171.tif 000002
【図２】
0004162171.tif 000003
【図３】
0004162171.tif 000004
【図４】
0004162171.tif 000005